(57)【要約】【課題】乗り口側のインレット部材の引き込まれ検出を無効化させることができると共に、その安全スイッチが接点融着した場合においても、降り口側のインレット部材の引き込まれ検出機能を失うことがない乗客コンベアを提供する。【解決手段】上昇運転用主接触器５８のｂ接点７８ｂ２と下降運転用主接触器７９のａ接点７９ａ２を直列に接続し、これら直列に接続した回路を上階側インレット安全スイッチ８０ａ，８０ｂと並列に接続することにより、下降運転時に上階側のインレット安全スイッチを無効化し、上昇運転時に有効にする。【選択図】      図３
2014213998.tif 000002
【特許請求の範囲】
【請求項１】
左右一対の欄干と、
左右一対の前記欄干の間を、第１運転時に一方の乗降口から他方の乗降口へ移動し、又は、第２運転時に前記他方の乗降口から前記一方の乗降口へ移動する移動する踏段と、
前記欄干の上部に沿って前記踏段と同期して移動する手摺りベルトと、
前記欄干における各乗降口の下部にそれぞれ形成された手摺り孔と、
前記各手摺り孔に挿入され、前記手摺りベルトに沿って移動可能に設けられたインレット部材と、
前記欄干の内部に設けられ、前記インレット部材の移動を検出する安全スイッチと、
第１運転時にのみＯＮ状態にする第１運転用主接触器と第２運転時にのみＯＮ状態にする第２運転用主接触器とが並列に接続された起動回路と、
前記起動回路によって起動して、踏段と前記手摺りベルトを駆動するモータと、
を有した乗客コンベアにおいて、
第１運転用主接触器のａ接点と第２運転用主接触器のｂ接点を直列に接続した回路を、一方の前記安全スイッチの接点に並列に接続して安全回路が形成され、
前記第１運転時に前記第１運転用主接触器をＯＮ状態にし、前記第２運転用主接触器をＯＦＦ状態にして、一方側の前記安全スイッチのみを無効化し、
前記第２運転時に前記第２運転用主接触器をＯＮ状態にし、前記第１運転用主接触器をＯＦＦ状態にして、一方側の前記安全スイッチを有効化する、
乗客コンベア。
【請求項２】
前記一方側が下階側であり、前記第１運転が上昇運転であり、前記第２運転が下降運転である、
請求項１に記載の乗客コンベア。
【請求項３】
前記一方側が上階側であり、前記第１運転が下降運転であり、前記第２運転が上昇運転である、
請求項１に記載の乗客コンベア。
【請求項４】
左右一対の欄干と、
左右一対の前記欄干の間を移動する踏段と、
前記欄干の上部に沿って前記踏段と同期して移動する手摺りベルトと、
前記欄干における各乗降口の下部にそれぞれ形成された手摺り孔と、
前記各手摺り孔に挿入され、前記手摺りベルトに沿って移動可能に設けられたインレット部材と、
前記欄干の内部に設けられ、前記インレット部材の移動を検出する安全スイッチと、
上昇運転時にのみＯＮ状態にする上昇運転用主接触器と下降運転時にのみＯＮ状態にする下降運転用主接触器とが並列に接続された起動回路と、
前記起動回路によって起動して、前記踏段と前記手摺りベルトを駆動するモータと、
を有した乗客コンベアにおいて、
前記上昇運転用主接触器のａ接点と前記下降用主接触器のｂ接点を直列に接続した回路に、下階側の前記安全スイッチの接点を並列に接続して下階側安全回路が形成され、
前記上昇運転時に前記上昇運転用主接触器をＯＮ状態にし、前記下降運転用主接触器をＯＦＦ状態にして、下階側の前記安全スイッチのみを無効化し、
前記下降運転時に前記下降運転用主接触器をＯＮ状態にし、前記上昇運転用主接触器をＯＦＦ状態にして、下階側の前記安全スイッチを有効化する、
乗客コンベア。
【請求項５】
左右一対の欄干と、
左右一対の前記欄干の間を移動する踏段と、
前記欄干の上部に沿って前記踏段と同期して移動する手摺りベルトと、
前記欄干における乗降口の下部に形成された手摺り孔と、
前記手摺り孔に挿入され、前記手摺りベルトに沿って移動可能に設けられたインレット部材と、
前記欄干の内部に設けられ、前記インレット部材の移動を検出する安全スイッチと、
上昇運転時にのみＯＮ状態にする上昇運転用主接触器と下降運転時にのみＯＮ状態にする下降運転用主接触器とが並列に接続された起動回路と、
前記起動回路によって起動して、前記踏段と前記手摺りベルトを駆動するモータと、
を有した乗客コンベアにおいて、
前記下降運転用主接触器のａ接点と前記上昇用主接触器のｂ接点を直列に接続した回路に、上階側の前記安全スイッチの接点を並列に接続して上階側安全回路が形成され、
前記下降運転時に前記下降運転用主接触器をＯＮ状態にし、前記上昇運転用主接触器をＯＦＦ状態にして、上階側の前記安全スイッチのみを無効化し、
前記上昇運転時に前記上昇運転用主接触器をＯＮ状態にし、前記下降運転用主接触器をＯＦＦ状態にして、上階側の前記安全スイッチを有効化する、
乗客コンベア。
【請求項６】
左右一対の欄干と、
前記欄干の上部に沿って移動する手摺りベルトと、
前記欄干における各乗降口の下部にそれぞれ形成された手摺り孔と、
前記各手摺り孔に挿入され、前記手摺りベルトに沿って移動可能に設けられたインレット部材と、
前記欄干の内部に設けられ、前記インレット部材の移動を検出する安全スイッチと、
上昇運転時にのみＯＮ状態にする上昇運転用主接触器と下降運転時にのみＯＮ状態にする下降運転用主接触器とが並列に接続された起動回路と、
前記起動回路によって駆動するモータと、
を有した乗客コンベアにおいて、
前記上昇運転用主接触器のａ接点と前記下降用主接触器のｂ接点を直列に接続した回路に、下階側の前記安全スイッチの接点を並列に接続して下階側安全回路が形成され、
前記下降運転用主接触器のａ接点と前記上昇用主接触器のｂ接点を直列に接続した回路に、上階側の前記安全スイッチの接点を並列に接続して上階側安全回路が形成され、
前記下階側安全回路と前記上階側安全回路とが直列に接続され、
前記上昇運転時に前記上昇運転用主接触器をＯＮ状態にし、前記下降運転用主接触器をＯＦＦ状態にして、上階側の前記安全スイッチを有効化し、下階側の前記安全スイッチのみを無効化し、
前記下降運転時に前記下降運転用主接触器をＯＮ状態にし、前記上昇運転用主接触器をＯＦＦ状態にして、下階側の前記安全スイッチを有効化し、上階側の前記安全スイッチのみを無効化する、
乗客コンベア。
【請求項７】
スカート安全スイッチが、前記下階側安全回路と前記上階側安全回路とに直列に接続されている、
請求項６に記載の乗客コンベア。
【請求項８】
コム安全スイッチが、前記下階側安全回路と前記上階側安全回路とに直列に接続されている、
請求項６又は７に記載の乗客コンベア。
【請求項９】
踏段安全スイッチが、前記下階側安全回路と前記上階側安全回路とに直列に接続されている、
請求項６乃至８のいずれか一項に記載の乗客コンベア。
【発明の詳細な説明】
【技術分野】
【０００１】
本発明の実施形態は、エスカレータや動く歩道などの乗客コンベアに関するものである。
【背景技術】
【０００２】
エスカレータや動く歩道などの乗客コンベアは、踏段と同期して循環移動する手摺りベルトを有し、この手摺りベルトは、乗降口において正面スカートガードに形成されている手摺り孔から正面スカートガード内に侵入する。この侵入する部分には、人間の指先や荷物などの異物が手摺りベルトと共に手摺り孔に引き込まれることを防止するためのインレット安全装置が設けられている。このインレット安全装置は、手摺りベルトが正面スカートガードに入り込む位置、すなわち降り口側の正面スカートガードに異物の引き込まれを検出するためのインレット部材を有している。
【０００３】
ところで、乗客コンベアは運転方向を反対に切り換えることができるため、手摺りベルトが正面スカートガードから出てくる乗り口側にもインレット部材は設置されている。そのため、乗り口側の正面スカートガードに設置されたインレット部材に不注意で荷物などを当てたり、悪戯などで異常が生じても、インレット安全装置が作動し乗客コンベアの運転を無用に停止させる場合がある。
【０００４】
そこで、従来、乗客コンベアの運転方向を検出し、乗り口及び降り口に設けられたインレット部材の中で、事故の発生する恐れがある降り口側のインレット部材のみを異常が検出するようにした制御回路を有するインレット安全装置がある。
【０００５】
この制御回路は、乗り口側のインレット部材の引き込まれを検出する安全スイッチを可動接点によって短絡し、乗り口側のインレット部材の引き込まれ検出を無効化させる構造である。
【先行技術文献】
【特許文献】
【０００６】
【特許文献１】特開昭５７ー４８７７５号公報
【特許文献２】特開昭４９−１１９３８４号公報
【特許文献３】特開２０１０−２０８８２６号公報
【発明の概要】
【発明が解決しようとする課題】
【０００７】
しかし、前記制御回路を有するインレット安全装置であると、適切な保守が行なわれない場合には、可動接点の接点溶着などにより、乗客コンベアの運転方向を切り換えてもインレット安全装置が適切に切り換わらないという問題点があった。
【０００８】
そこで本発明の実施形態は上記問題点に鑑み、乗り口側のインレット部材の引き込まれ検出を無効化させることができると共に、その安全スイッチが接点融着した場合においても、降り口側のインレット部材の引き込まれ検出機能を失うことがない乗客コンベアを提供することを目的とする。
【課題を解決するための手段】
【０００９】
本発明の実施形態は、左右一対の欄干と、左右一対の前記欄干の間を、第１運転時に一方の乗降口から他方の乗降口へ移動し、又は、第２運転時に前記他方の乗降口から前記一方の乗降口へ移動する移動する踏段と、前記欄干の上部に沿って前記踏段と同期して移動する手摺りベルトと、前記欄干における各乗降口の下部にそれぞれ形成された手摺り孔と、前記各手摺り孔に挿入され、前記手摺りベルトに沿って移動可能に設けられたインレット部材と、前記欄干の内部に設けられ、前記インレット部材の移動を検出する安全スイッチと、第１運転時にのみＯＮ状態にする第１運転用主接触器と第２運転時にのみＯＮ状態にする第２運転用主接触器とが並列に接続された起動回路と、前記起動回路によって起動して、踏段と前記手摺りベルトを駆動するモータと、を有した乗客コンベアにおいて、第１運転用主接触器のａ接点と第２運転用主接触器のｂ接点を直列に接続した回路を、一方の前記安全スイッチの接点に並列に接続して安全回路が形成され、前記第１運転時に前記第１運転用主接触器をＯＮ状態にし、前記第２運転用主接触器をＯＦＦ状態にして、一方側の前記安全スイッチのみを無効化し、前記第２運転時に前記第２運転用主接触器をＯＮ状態にし、前記第１運転用主接触器をＯＦＦ状態にして、一方側の前記安全スイッチを有効化する、乗客コンベアである。
【００１０】
また、本発明の実施形態は、左右一対の欄干と、左右一対の前記欄干の間を移動する踏段と、前記欄干の上部に沿って前記踏段と同期して移動する手摺りベルトと、前記欄干における各乗降口の下部にそれぞれ形成された手摺り孔と、前記各手摺り孔に挿入され、前記手摺りベルトに沿って移動可能に設けられたインレット部材と、前記欄干の内部に設けられ、前記インレット部材の移動を検出する安全スイッチと、上昇運転時にのみＯＮ状態にする上昇運転用主接触器と下降運転時にのみＯＮ状態にする下降運転用主接触器とが並列に接続された起動回路と、前記起動回路によって起動して、前記踏段と前記手摺りベルトを駆動するモータと、を有した乗客コンベアにおいて、前記上昇運転用主接触器のａ接点と前記下降用主接触器のｂ接点を直列に接続した回路に、下階側の前記安全スイッチの接点を並列に接続して下階側安全回路が形成され、前記上昇運転時に前記上昇運転用主接触器をＯＮ状態にし、前記下降運転用主接触器をＯＦＦ状態にして、下階側の前記安全スイッチのみを無効化し、前記下降運転時に前記下降運転用主接触器をＯＮ状態にし、前記上昇運転用主接触器をＯＦＦ状態にして、下階側の前記安全スイッチを有効化する、乗客コンベアである。
【００１１】
また、本発明の実施形態は、左右一対の欄干と、左右一対の前記欄干の間を移動する踏段と、前記欄干の上部に沿って前記踏段と同期して移動する手摺りベルトと、前記欄干における乗降口の下部に形成された手摺り孔と、前記手摺り孔に挿入され、前記手摺りベルトに沿って移動可能に設けられたインレット部材と、前記欄干の内部に設けられ、前記インレット部材の移動を検出する安全スイッチと、上昇運転時にのみＯＮ状態にする上昇運転用主接触器と下降運転時にのみＯＮ状態にする下降運転用主接触器とが並列に接続された起動回路と、前記起動回路によって起動して、前記踏段と前記手摺りベルトを駆動するモータと、を有した乗客コンベアにおいて、前記下降運転用主接触器のａ接点と前記上昇用主接触器のｂ接点を直列に接続した回路に、上階側の前記安全スイッチの接点を並列に接続して上階側安全回路が形成され、前記下降運転時に前記下降運転用主接触器をＯＮ状態にし、前記上昇運転用主接触器をＯＦＦ状態にして、上階側の前記安全スイッチのみを無効化し、前記上昇運転時に前記上昇運転用主接触器をＯＮ状態にし、前記下降運転用主接触器をＯＦＦ状態にして、上階側の前記安全スイッチを有効化する、乗客コンベアである。
【００１２】
本発明の実施形態は、左右一対の欄干と、前記欄干の上部に沿って移動する手摺りベルトと、前記欄干における各乗降口の下部にそれぞれ形成された手摺り孔と、前記各手摺り孔に挿入され、前記手摺りベルトに沿って移動可能に設けられたインレット部材と、前記欄干の内部に設けられ、前記インレット部材の移動を検出する安全スイッチと、上昇運転時にのみＯＮ状態にする上昇運転用主接触器と下降運転時にのみＯＮ状態にする下降運転用主接触器とが並列に接続された起動回路と、前記起動回路によって駆動するモータと、を有した乗客コンベアにおいて、前記上昇運転用主接触器のａ接点と前記下降用主接触器のｂ接点を直列に接続した回路に、下階側の前記安全スイッチの接点を並列に接続して下階側安全回路が形成され、前記下降運転用主接触器のａ接点と前記上昇用主接触器のｂ接点を直列に接続した回路に、上階側の前記安全スイッチの接点を並列に接続して上階側安全回路が形成され、前記下階側安全回路と前記上階側安全回路とが直列に接続され、前記上昇運転時に前記上昇運転用主接触器をＯＮ状態にし、前記下降運転用主接触器をＯＦＦ状態にして、上階側の前記安全スイッチを有効化し、下階側の前記安全スイッチのみを無効化し、前記下降運転時に前記下降運転用主接触器をＯＮ状態にし、前記上昇運転用主接触器をＯＦＦ状態にして、下階側の前記安全スイッチを有効化し、上階側の前記安全スイッチのみを無効化する、乗客コンベアである。
【図面の簡単な説明】
【００１３】
【図１】本発明の一実施形態のエスカレータの側面図である。
【図２】インレット部材が設けられている部分の拡大縦断面図である。
【図３】安全装置の回路図である。
【図４】上昇運転時のインレット安全スイッチの状態を示す説明図である。
【図５】下降運転時のインレット安全スイッチの状態を示す説明図である。
【図６】安全回路の各可動接点片の状態を示す表である。
【発明を実施するための形態】
【００１４】
以下、一実施形態の乗客コンベアを、エスカレータ１０を例として図１〜図６に基づいて説明する。
【００１５】
（１）エスカレータ１０
エスカレータ１０の構造について、図１に基づいて説明する。図１はエスカレータ１０を側面から見た説明図である。
【００１６】
エスカレータ１０のトラス１２が、建屋１の上階と下階に跨がって支持アングル２，３を介して支持されている。トラス１２の上端部にある上階側の機械室１４内部には、駆動装置１８が設けられている。この駆動装置１８には、モータ２０と、減速機２１と、減速機２１により動作する駆動チェーン２２が連結され、この駆動チェーン２２により駆動スプロケット２４が駆動される。減速機２１は、モータ２０の回転トルクを増幅すると共に回転速度を減速させる。上階側の機械室１４内部には、制御装置５０が設けられている。トラス１２の下端部にある下階側の機械室１６内には、従動スプロケット２６が設けられ、駆動スプロケット２４と従動スプロケット２６との間に踏段チェーン２８が掛け渡され、踏段チェーン２８には複数の踏段３０が等間隔で連結されている。
【００１７】
踏段３０は、その前後に前輪３０ａ及び後輪３０ｂが取り付けられ、これら前輪３０ａ及び後輪３０ｂが、トラス１２内に設けられた不図示の往路ガイドレール、帰路ガイドレール及び反転ガイドレールからなるガイドレールによって案内されることにより、複数の踏段３０は、踏段チェーン２８の移動と連動して循環走行する。
【００１８】
踏段３０が反転する位置の上部が利用者の乗降口であり、乗降口には上階側の乗降板３２、下階側の乗降板３４が設けられている。
【００１９】
トラス１２の左右両側には、左右一対の欄干３６，３６が立設されている。この欄干３６の上部を手摺りベルト３８が踏段３０と同期して移動する。欄干３６の上階側の正面下部を覆う正面スカートガード４０が設けられ、下階側の正面下部には、下階側の正面スカートガード４２が設けられ、正面スカートガード４０，４２の正面から、手摺りベルト３８に対応したインレット部材４６，４８が突出している。欄干３６の側面下部には、スカートガード４４が設けられている。
【００２０】
上階側の正面スカートガード４０の側面には、上階側の操作盤５２が設けられ、この近くのスカートガード４４には、上階側のスピーカ５４が設けられている。下階側の正面スカートガード４２の側面にも下階側の操作盤５６が設けられ、その近くのスカートガード４４には、下階側のスピーカ５８が設けられている。操作盤５２及び操作盤５６には、エスカレータ１０を起動させるための起動スイッチ７６が設けられている。そして、操作盤５２又は操作盤５６に設けられた起動スイッチ７６の操作により、モータ２０の回転方向を切り換えることでエスカレータ１０は、下階側の乗降口から上階側の乗降口へ踏台３０を移動する「上昇運転」と、上階側の乗降口から下階側の乗降口へ踏台３０を移動する「下降運転」とを切り換えて実行する。
【００２１】
（２）インレット部材４６，４８の構造
次に、インレット部材４６，４８の構造について図２に基づいて説明する。図２は下階側のインレット部材４８の縦断面図であり、この図に基づいて説明する。
【００２２】
下階の左側の欄干３６の乗降口にある正面スカートガード４２の正面には、手摺り孔６０が開口し、この手摺り孔６０に手摺りベルト３８が侵入又は進出する。すなわち、エスカレータ１０が上昇運転している時には、手摺りベルト３８が手摺り孔６０から進出し、下降運転している時には手摺り孔６０から侵入する。
【００２３】
手摺り孔６０には、循環移動する手摺りベルト３８を内包する断面Ｃ状のインレット部材４８が挿入され、手摺りベルト３８の移動方向に沿って移動可能に支持されている。インレット部材４８は、ゴムにより形成され可撓性を有している。インレット部材４８の内端は、正面スカートガード４２内に位置し、外端が正面スカートガード４２の外側に位置している。正面スカートガード４２内に位置しているインレット部材４８の内端側には作動板６２が固定され、この作動板６２には突部６４が突出している。この突部６４と対向する位置には、安全装置７０に接続された下階側インレット安全スイッチ８０ｃが設けられている。下階側インレット安全スイッチ３０ｃは、移動したインレット部材４８と共に移動した突部６４に押されることで、手摺り孔６０に異物が引き込まれることを検出する。
【００２４】
下階の右側の欄干３６の乗降口にある正面スカートガード４２の正面にも手摺り孔６０が開口し、この手摺り孔６０に手摺りベルト３８が侵入又は進出する。また、正面スカートガード４２内には、同様に、インレット部材４８と下階側インレット安全スイッチ８０ｄが設けられている。
【００２５】
上階の左右の欄干３６にあるインレット部材４６，４６にも同様に、上階側インレット安全スイッチ３０ａと上階側インレット安全スイッチ３０ｂが設けられている。
【００２６】
（３）安全装置７０
次に、安全装置７０の回路構成について図３に基づいて説明する。安全装置７０は、エスカレータ１０の異常を検出したきにモータ２０の回転駆動を停止させる安全回路７２と、モータ２０を駆動させる起動回路７４とを有する。
【００２７】
安全回路７２は、上階側インレット安全スイッチ３０ａ，３０ｂ、下階側インレット安全スイッチ３０ｃ，３０ｄと、スカート安全スイッチ８１と、コム安全スイッチ８２と、踏段安全スイッチ８３とが制御電源ライン７１，７３の間に直列に接続されている。
【００２８】
スカート安全スイッチ８１は、循環移動する踏段３０とスカートガード４４との間の隙間に異物が挟み込まれたことを検出すると閉止する。
【００２９】
コム安全スイッチ８２は、踏段３０がトラス１２の内部に入り込む入り込み口に異物が挟み込まれたことを検出すると閉止する。
【００３０】
踏段安全スイッチ８３は、隣接する踏段３０の間の隙間に異物が挟み込まれたことを検出すると閉止する。
【００３１】
これら安全スイッチ８１，８２，８３の何れかが動作して閉止すると、安全回路７２が遮断されてエスカレータ１０の運転が停止する。
【００３２】
また、安全回路７２は、リレーコイル（上昇運転用主接触器）５８とリレーコイル（下降運転用主接触器）７９により開閉される複数の可動接点片７９ａ２，７８ｂ２，７８ａ２，７９ｂ２も備えている。具体的には、下降運転時に閉となる可動接点片（ａ接点）５９ａ２と上昇運転時に開状態となる可動接点片（ｂ接点）５８ｂ２とが直列に接続されて回路を構成し、この直列回路に上階側インレット安全スイッチ３０ａ，３０ｂが直列に接続された回路が、並列に接続されている。上昇運転時に閉となる可動接点片（ａ接点）７８ａ２と下降運転時に開状態となる可動接点片（ｂ接点）５９ｂ２とが直列に接続されて回路を構成し、この回路に下階側インレット安全スイッチ８０ｃ，８０ｄが直列に接続された回路が並列に接続されている。これにより、エスカレータ１０の上昇運転時にはａ接点７８ａ２が閉となり、下階側インレット安全スイッチ３０ｃ，３０ｄが短絡され無効化される。一方、エスカレータ１０の下降運転時にはａ接点７９ａ２が閉となるため、上階側インレット安全スイッチ３０ａ，３０ｂが短絡され無効化される。
【００３３】
起動回路７４は、上昇運転、下降運転を切り換える起動スイッチ７６、リレーコイル５８、リレーコイル５９、リレーコイル５８，５９により開閉される複数の可動接点片７８ａ、７８ｂ、７９ａ、７９ｂとを備える。可動接点片７８ａ、７８ａ２、７９ａ、７９ａ２はリレーコイル５８，５９に通電されることで閉止され、通電を止めると開放されるａ接点である。また、可動接点片７８ｂ，７８ｂ２，７９ｂ，７９ｂ２はリレーコイル５８，５９に通電されることで開放され、通電を止めると閉止されるｂ接点である。
【００３４】
（４）安全装置７０の正常時の動作状態
次に、安全回路７２の各可動接点片７９ａ２，７８ｂ２，７８ａ２，７９ｂ２が溶着していない正常時において、エスカレータ１０の動作状態を、上昇運転させる場合と下降運転させる場合とに分けて図５と図６に基づいて説明する。
【００３５】
（４−１）上昇運転
まず、各可動接点片７９ａ２，７８ｂ２，７８ａ２，７９ｂ２が溶着していない正常時において、エスカレータ１０を上昇運転させる場合について図５に基づいて説明する。
【００３６】
エスカレータ１０を上昇運転させる場合、作業者が起動スイッチ７６を上昇側に操作する。これにより、制御電源ライン７１、スカート安全スイッチ８１、コム安全スイッチ８３、踏段安全スイッチ８７、上階側インレット安全スイッチ８０ａ，８０ｂ、下階側インレット安全スイッチ８０ｃ，８０ｄ、起動スイッチ７６、リレーコイル７８、制御電源ライン７３を順に接続する回路が構成され、モータ２０は電源の供給を受けて上昇側に回転駆動される。
【００３７】
そして、リレーコイル７８が通電されることで可動接点片７８ａを閉止状態に保持してエスカレータ１０の上昇運転は継続される。
【００３８】
また、可動接点片７８ａ２が閉止状態になり、リレーコイル７９が通電されていないため、可動接点７９ｂ２は閉止したままである。そのため、下階側インレット安全スイッチ８０ｃ，８０ｄは短絡状態となる。したがって、乗り口側となるインレット部材４８の下階側インレット安全スイッチ８０ｃ，８０ｄが悪戯などで作動し開状態となっても、可動接点片７８ａ２，７９ｂ２の回路でバイパスされることになり、エスカレータ１０は停止しない。
【００３９】
（４−２）下降運転
次に、各可動接点片７９ａ２，７８ｂ２，７８ａ２，７９ｂ２が溶着していない正常時において、エスカレータ１０を下降運転させる場合について図６に基づいて説明する。
【００４０】
エスカレータ１０を下降運転させる場合、作業者が起動スイッチ７６を下降側に操作する。これにより、制御電源ライン７１、スカート安全スイッチ８１、コム安全スイッチ８３、踏段安全スイッチ８７、上階側インレット安全スイッチ８０ａ，８０ｂ、下階側インレット安全スイッチ８０ｃ，８０ｄ、起動スイッチ７６、リレーコイル７９、制御電源ライン７３を順に接続する回路が構成され、モータ２０は電源の供給を受けて下降側に回転駆動される。
【００４１】
そして、リレーコイル７９は通電されることで可動接点片７９ａを閉止状態に保持してエスカレータ１０の下降運転は継続される。
【００４２】
また、可動接点片７９ａ２が閉止状態になり、リレーコイル７８が通電されていないため、可動接点７８ｂ２は閉止したままである。そのため、上階側インレット安全スイッチ８０ａ，８０ｂは、可動接点７９ａ２と可動接点７８ｂ２により短絡状態となる。したがって、乗り口側となるインレット部材４６の上階側インレット安全スイッチ８０ａ，８０ｂが悪戯などで作動し開状態となっても、可動接点片７９ａ２，７８ｂ２でバイパスされることになり、エスカレータ１０が停止しない。
【００４３】
（４−３）正常時の効果
以上のように正常時においては、エスカレータ１０の上昇運転時に、図５に示すように、可動接点片７８ａ２、７９ｂ２により、乗り口側に位置する下階側インレット安全スイッチ８０ｃ，８０ｄが短絡されるため無効化される。
【００４４】
一方、エスカレータ１０の下降運転時には、図６に示すように、可動接点片７９ａ２、７８ｂ２により、乗り口側に位置する上階側インレット安全スイッチ８０ａ，８０ｂが短絡され無効化される。
【００４５】
そのため、異物が引き込まれるおそれのない乗り口側の正面スカートガード４０，４２に設置されたインレット部材４６又はインレット部材，４８に悪戯などで異常が生じても不用意に安全装置７０が作動されることなく、無用の運転停止を低減できる。
【００４６】
（５）異常時の動作状態
次に、何らかの原因により、可動接点片７９ａ２，７８ｂ２，７８ａ２，７９ｂ２が溶着した異常時の動作状態について各事例に分けて説明する。
【００４７】
（５−１）第１事例
第１事例は、リレーコイル７９が通電されたときに動作する可動接点片７９ａ２、７９ｂ２が溶着した場合である。このときは、可動接点片７９ａ２が閉止状態、可動接点片７９ｂ２が開状態になったままになる。
【００４８】
この場合に下降運転を行うと溶着して閉止している可動接点片７９ａ２とリレーコイル７９が励磁されず、溶着した可動接点片７８ｂ２により、上階用インレット安全スイッチ８０ａ、８０ｂが短絡されている。
【００４９】
そのため、乗り口側となる上階側の正面スカートガード４０に設置されたインレット部材４６に、悪戯などで異常が生じた場合でも不用意に安全装置７０が作動されることなく、無用の運転停止を低減できる。
【００５０】
また、可動接点片７９ａ２、７９ｂ２が溶着した場合に上昇運転を行うと、降り口側となる上階側インレット安全スイッチ８０ａ、８０ｂが有効となる必要がある。可動接点片７９ａ２が溶着していても、リレーコイル７８が励磁され可動接点片７８ｂ２が開状態となるため、上階側インレット安全スイッチ８０ａ、８０ｂが短絡されない。したがって、乗り口側のインレット安全スイッチは通常通り回路を遮断され、安全装置７０の役割を果たすことができる。
【００５１】
なお、このときに、可動接点片７８ｂ２が直列に接続されていなければ可動接点片７９ａ２が溶着しているため、本来の動作しなければいけない上階側インレット安全スイッチ８０ａ，８０ｂが短絡されてしまい、指先や荷物などの異物が移動手摺と共に手摺孔に引き込まれた場合に、運転を停止できず事故の可能性がある。
【００５２】
（５−２）第２事例
第２事例は、可動接点片７８ａ２が溶着した事例であり、この場合は、第１事例と同じである。
【００５３】
（５−３）第３事例
第３事例は、可動接点片７９ａ２，７８ｂ２，７８ａ２，７９ｂ２が溶着した場合である。すなわち、可動接点片７９ａ２が閉止状態、可動接点片７８ｂ２が開状態に、可動接点片７８ａ２が閉止状態、可動接点片７９ｂ２が開状態となる。
【００５４】
このときに下降運転を行う場合には、降り口側である下階側インレット安全スイッチ８０ｃ，８０ｄを有効にし、乗り口側である上階側インレット安全スイッチ８０ａ，８０ｂを無効にすることが望まれる。
【００５５】
しかし、乗り口側である上階側インレット安全スイッチ８０ａ，８０ｂを短絡するための可動接点片７８ｂ２が開状態で溶着している。そのため、上階側インレット安全スイッチ８０ａ，８０ｂを無効化することはできなくなる。また、降り口側である下階においては、下階側インレット安全スイッチ８０ｃ，８０ｄを有効にする必要がある。これについては、可動接点片７８ａ２が溶着し閉止状態であっても、可動接点片７９ｂ２が開状態で溶着しているため、下階側インレット安全スイッチ８０ｃ，８０ｄは短絡されず、有効に働くことができる。これにより、接点溶着による安全装置７０の無効化を防止できる。
【００５６】
（５−４）第４事例
第４事例は、可動接点片７９ａ２，７８ｂ２，７８ａ２，７９ｂ２が溶着した場合である。
【００５７】
このときに上昇運転を行う場合には、降り口側である上階側インレット安全スイッチ８０ａ，８０ｂを有効にし、乗り口側である下階側インレット安全スイッチ８０ｃ，８０ｄを無効にすることが望まれる。
【００５８】
しかし、下階側インレット安全スイッチ８０ｃ，８０ｄを短絡するための可動接点片７９ｂ２が開状態で溶着しているため、下階側インレット安全スイッチ８０ｃ，８０ｄを無効化できない。
【００５９】
また、降り口側の上階においては、可動接点片７９ａ２が閉止状態で溶着しているが、可動接点片７８ｂ２が開状態で溶着しているため、短絡されず、上階側インレット安全スイッチ８０ａ，８０ｂは無効化されず、有効に働くことができる。
【００６０】
（５−５）まとめ
上記で説明した各可動接点片７８ａ２，７８ｂ２，７９ａ２，７９ｂ２が溶着した場合の各インレット安全スイッチの状態を図６の表に示す。図６において、白丸印は正常動作を意味する。二重丸印は乗り口側のインレット部材の移動を検出するインレット安全スイッチを無効化したことを意味する。白三角印は乗り口側のインレット部材の移動を検出するインレット安全スイッチを無効化する機能は働かないが、通常のインレット部材の移動を検出するインレット安全スイッチとしては動作する意味である。
【００６１】
図６からもわるように、各可動接点片７８ａ２，７８ｂ２，７９ａ２，７９ｂ２の何れか、又は、全てが溶着状態になった場合でも、降り口側のインレット安全スイッチ８０ａ，８０ｂ，８０ｃ，８０ｄが効かなくなることはなく、安全装置７０として有効に働く。
【００６２】
（６）効果
以上により、本実施形態によれば、乗り口側のインレット安全スイッチを無効化することができ、また、リレーコイル５８，５９の安全回路７４における各可動接点片７８ａ２，７８ｂ２，７９ａ２，７９ｂ２が溶着した場合においても、安全装置７０の機能を有効に働かすことができる。
【００６３】
（７）変更例
上記実施形態では、上昇及び下降が存在する角度を持った乗客コンベアであるエスカレータで説明したが、上昇、下降の区別のない水平に配置されるいわゆる「動く歩道」についても同様に適用できる。
【００６４】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６５】
１０・・・エスカレータ、２０・・・モータ、３８・・・手摺りベルト、４０・・・正面スカートガード、４６・・・インレット部材、４８・・・インレット部材、６０・・・手摺り孔、６２・・・作動板、６４・・・突部、７０・・・安全装置、７２・・・安全回路、７４・・・起動回路、７８・・・リレーコイル、７９・・・リレーコイル、８０・・・インレット安全スイッチ
【図１】
2014213998.tif 000003
【図２】
2014213998.tif 000004
【図３】
2014213998.tif 000005
【図４】
2014213998.tif 000006
【図５】
2014213998.tif 000007
【図６】
2014213998.tif 000008
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
左右一対の欄干と、
左右一対の前記欄干の間を、第１運転時に一方の乗降口から他方の乗降口へ移動し、又は、第２運転時に前記他方の乗降口から前記一方の乗降口へ移動する移動する踏段と、
前記欄干の上部に沿って前記踏段と同期して移動する手摺りベルトと、
前記欄干における各乗降口の下部にそれぞれ形成された手摺り孔と、
前記各手摺り孔に挿入され、前記手摺りベルトに沿って移動可能に設けられたインレット部材と、
前記欄干の内部に設けられ、前記インレット部材の移動を検出する安全スイッチと、
第１運転時にのみＯＮ状態にする第１運転用主接触器と第２運転時にのみＯＮ状態にする第２運転用主接触器とが並列に接続された起動回路と、
前記起動回路によって起動して、踏段と前記手摺りベルトを駆動するモータと、
を有した乗客コンベアにおいて、
第１運転用主接触器のａ接点と第２運転用主接触器のｂ接点を直列に接続した回路を、一方の前記安全スイッチの接点のみ並列に接続して安全回路が形成され、
前記第１運転時に前記第１運転用主接触器をＯＮ状態にし、前記第２運転用主接触器をＯＦＦ状態にして、一方側の前記安全スイッチのみを無効化し、
前記第２運転時に前記第２運転用主接触器をＯＮ状態にし、前記第１運転用主接触器をＯＦＦ状態にして、前記各接点が正常時又は溶着時でも一方側の前記安全スイッチを有効化する、
乗客コンベア。
【請求項２】
前記一方側が下階側であり、前記第１運転が上昇運転であり、前記第２運転が下降運転である、
請求項１に記載の乗客コンベア。
【請求項３】
前記一方側が上階側であり、前記第１運転が下降運転であり、前記第２運転が上昇運転である、
請求項１に記載の乗客コンベア。
【請求項４】
左右一対の欄干と、
左右一対の前記欄干の間を移動する踏段と、
前記欄干の上部に沿って前記踏段と同期して移動する手摺りベルトと、
前記欄干における各乗降口の下部にそれぞれ形成された手摺り孔と、
前記各手摺り孔に挿入され、前記手摺りベルトに沿って移動可能に設けられたインレット部材と、
前記欄干の内部に設けられ、前記インレット部材の移動を検出する安全スイッチと、
上昇運転時にのみＯＮ状態にする上昇運転用主接触器と下降運転時にのみＯＮ状態にする下降運転用主接触器とが並列に接続された起動回路と、
前記起動回路によって起動して、前記踏段と前記手摺りベルトを駆動するモータと、
を有した乗客コンベアにおいて、
前記上昇運転用主接触器のａ接点と前記下降用主接触器のｂ接点を直列に接続した回路に、下階側の前記安全スイッチの接点のみ並列に接続して下階側安全回路が形成され、
前記上昇運転時に前記上昇運転用主接触器をＯＮ状態にし、前記下降運転用主接触器をＯＦＦ状態にして、下階側の前記安全スイッチのみを無効化し、
前記下降運転時に前記下降運転用主接触器をＯＮ状態にし、前記上昇運転用主接触器をＯＦＦ状態にして、前記各接点が正常時又は溶着時でも下階側の前記安全スイッチを有効化する、
乗客コンベア。
【請求項５】
左右一対の欄干と、
左右一対の前記欄干の間を移動する踏段と、
前記欄干の上部に沿って前記踏段と同期して移動する手摺りベルトと、
前記欄干における乗降口の下部に形成された手摺り孔と、
前記各手摺り孔に挿入され、前記手摺りベルトに沿って移動可能に設けられたインレット部材と、
前記欄干の内部に設けられ、前記インレット部材の移動を検出する安全スイッチと、
上昇運転時にのみＯＮ状態にする上昇運転用主接触器と下降運転時にのみＯＮ状態にする下降運転用主接触器とが並列に接続された起動回路と、
前記起動回路によって起動して、前記踏段と前記手摺りベルトを駆動するモータと、
を有した乗客コンベアにおいて、
前記下降運転用主接触器のａ接点と前記上昇用主接触器のｂ接点を直列に接続した回路に、上階側の前記安全スイッチの接点のみ並列に接続して上階側安全回路が形成され、
前記下降運転時に前記下降運転用主接触器をＯＮ状態にし、前記上昇運転用主接触器をＯＦＦ状態にして、上階側の前記安全スイッチのみを無効化し、
前記上昇運転時に前記上昇運転用主接触器をＯＮ状態にし、前記下降運転用主接触器をＯＦＦ状態にして、前記各接点が正常時又は溶着時でも上階側の前記安全スイッチを有効化する、
乗客コンベア。
【請求項６】
左右一対の欄干と、
前記欄干の上部に沿って移動する手摺りベルトと、
前記欄干における各乗降口の下部にそれぞれ形成された手摺り孔と、
前記各手摺り孔に挿入され、前記手摺りベルトに沿って移動可能に設けられたインレット部材と、
前記欄干の内部に設けられ、前記インレット部材の移動を検出する安全スイッチと、
上昇運転時にのみＯＮ状態にする上昇運転用主接触器と下降運転時にのみＯＮ状態にする下降運転用主接触器とが並列に接続された起動回路と、
前記起動回路によって駆動するモータと、
を有した乗客コンベアにおいて、
前記上昇運転用主接触器のａ接点と前記下降用主接触器のｂ接点を直列に接続した回路に、下階側の前記安全スイッチの接点のみ並列に接続して下階側安全回路が形成され、
前記下降運転用主接触器のａ接点と前記上昇用主接触器のｂ接点を直列に接続した回路に、上階側の前記安全スイッチの接点のみ並列に接続して上階側安全回路が形成され、
前記下階側安全回路と前記上階側安全回路とが直列に接続され、
前記上昇運転時に前記上昇運転用主接触器をＯＮ状態にし、前記下降運転用主接触器をＯＦＦ状態にして、前記各接点が正常時又は溶着時でも上階側の前記安全スイッチを有効化し、下階側の前記安全スイッチのみを無効化し、
前記下降運転時に前記下降運転用主接触器をＯＮ状態にし、前記上昇運転用主接触器をＯＦＦ状態にして、前記各接点が正常時又は溶着時でも下階側の前記安全スイッチを有効化し、上階側の前記安全スイッチのみを無効化する、
乗客コンベア。
【請求項７】
スカート安全スイッチが、前記下階側安全回路と前記上階側安全回路とに直列に接続されている、
請求項６に記載の乗客コンベア。
【請求項８】
コム安全スイッチが、前記下階側安全回路と前記上階側安全回路とに直列に接続されている、
請求項６又は７に記載の乗客コンベア。
【請求項９】
踏段安全スイッチが、前記下階側安全回路と前記上階側安全回路とに直列に接続されている、
請求項６乃至８のいずれか一項に記載の乗客コンベア。
【手続補正２】
【補正対象書類名】明細書
【補正対象項目名】０００９
【補正方法】変更
【補正の内容】
【０００９】
本発明の実施形態は、左右一対の欄干と、左右一対の前記欄干の間を、第１運転時に一方の乗降口から他方の乗降口へ移動し、又は、第２運転時に前記他方の乗降口から前記一方の乗降口へ移動する移動する踏段と、前記欄干の上部に沿って前記踏段と同期して移動する手摺りベルトと、前記欄干における各乗降口の下部にそれぞれ形成された手摺り孔と、前記各手摺り孔に挿入され、前記手摺りベルトに沿って移動可能に設けられたインレット部材と、前記欄干の内部に設けられ、前記インレット部材の移動を検出する安全スイッチと、第１運転時にのみＯＮ状態にする第１運転用主接触器と第２運転時にのみＯＮ状態にする第２運転用主接触器とが並列に接続された起動回路と、前記起動回路によって起動して、踏段と前記手摺りベルトを駆動するモータと、を有した乗客コンベアにおいて、第１運転用主接触器のａ接点と第２運転用主接触器のｂ接点を直列に接続した回路を、一方の前記安全スイッチの接点のみ並列に接続して安全回路が形成され、前記第１運転時に前記第１運転用主接触器をＯＮ状態にし、前記第２運転用主接触器をＯＦＦ状態にして、一方側の前記安全スイッチのみを無効化し、前記第２運転時に前記第２運転用主接触器をＯＮ状態にし、前記第１運転用主接触器をＯＦＦ状態にして、前記各接点が正常時又は溶着時でも一方側の前記安全スイッチを有効化する、乗客コンベアである。
【手続補正３】
【補正対象書類名】明細書
【補正対象項目名】００１０
【補正方法】変更
【補正の内容】
【００１０】
また、本発明の実施形態は、左右一対の欄干と、左右一対の前記欄干の間を移動する踏段と、前記欄干の上部に沿って前記踏段と同期して移動する手摺りベルトと、前記欄干における各乗降口の下部にそれぞれ形成された手摺り孔と、前記各手摺り孔に挿入され、前記各手摺りベルトに沿って移動可能に設けられたインレット部材と、前記欄干の内部に設けられ、前記インレット部材の移動を検出する安全スイッチと、上昇運転時にのみＯＮ状態にする上昇運転用主接触器と下降運転時にのみＯＮ状態にする下降運転用主接触器とが並列に接続された起動回路と、前記起動回路によって起動して、前記踏段と前記手摺りベルトを駆動するモータと、を有した乗客コンベアにおいて、前記上昇運転用主接触器のａ接点と前記下降用主接触器のｂ接点を直列に接続した回路に、下階側の前記安全スイッチの接点のみ並列に接続して下階側安全回路が形成され、前記上昇運転時に前記上昇運転用主接触器をＯＮ状態にし、前記下降運転用主接触器をＯＦＦ状態にして、下階側の前記安全スイッチのみを無効化し、前記下降運転時に前記下降運転用主接触器をＯＮ状態にし、前記上昇運転用主接触器をＯＦＦ状態にして、前記各接点が正常時又は溶着時でも下階側の前記安全スイッチを有効化する、乗客コンベアである。
【手続補正４】
【補正対象書類名】明細書
【補正対象項目名】００１１
【補正方法】変更
【補正の内容】
【００１１】
また、本発明の実施形態は、左右一対の欄干と、左右一対の前記欄干の間を移動する踏段と、前記欄干の上部に沿って前記踏段と同期して移動する手摺りベルトと、前記欄干における乗降口の下部に形成された手摺り孔と、前記手摺り孔に挿入され、前記手摺りベルトに沿って移動可能に設けられたインレット部材と、前記欄干の内部に設けられ、前記インレット部材の移動を検出する安全スイッチと、上昇運転時にのみＯＮ状態にする上昇運転用主接触器と下降運転時にのみＯＮ状態にする下降運転用主接触器とが並列に接続された起動回路と、前記起動回路によって起動して、前記踏段と前記手摺りベルトを駆動するモータと、を有した乗客コンベアにおいて、前記下降運転用主接触器のａ接点と前記上昇用主接触器のｂ接点を直列に接続した回路に、上階側の前記安全スイッチの接点のみ並列に接続して上階側安全回路が形成され、前記下降運転時に前記下降運転用主接触器をＯＮ状態にし、前記上昇運転用主接触器をＯＦＦ状態にして、上階側の前記安全スイッチのみを無効化し、前記上昇運転時に前記上昇運転用主接触器をＯＮ状態にし、前記下降運転用主接触器をＯＦＦ状態にして、前記各接点が正常時又は溶着時でも上階側の前記安全スイッチを有効化する、乗客コンベアである。
【手続補正５】
【補正対象書類名】明細書
【補正対象項目名】００１３
【補正方法】変更
【補正の内容】
【００１３】
また、本発明の実施形態は、左右一対の欄干と、前記欄干の上部に沿って移動する手摺りベルトと、前記欄干における各乗降口の下部にそれぞれ形成された手摺り孔と、前記各手摺り孔に挿入され、前記手摺りベルトに沿って移動可能に設けられたインレット部材と、前記欄干の内部に設けられ、前記インレット部材の移動を検出する安全スイッチと、上昇運転時にのみＯＮ状態にする上昇運転用主接触器と下降運転時にのみＯＮ状態にする下降運転用主接触器とが並列に接続された起動回路と、前記起動回路によって駆動するモータと、を有した乗客コンベアにおいて、前記上昇運転用主接触器のａ接点と前記下降用主接触器のｂ接点を直列に接続した回路に、下階側の前記安全スイッチの接点を並列のみ接続して下階側安全回路が形成され、前記下降運転用主接触器のａ接点と前記上昇用主接触器のｂ接点を直列に接続した回路に、上階側の前記安全スイッチの接点のみ並列に接続して上階側安全回路が形成され、前記下階側安全回路と前記上階側安全回路とが直列に接続され、前記上昇運転時に前記上昇運転用主接触器をＯＮ状態にし、前記下降運転用主接触器をＯＦＦ状態にして、前記各接点が正常時又は溶着時でも上階側の前記安全スイッチを有効化し、下階側の前記安全スイッチのみを無効化し、前記下降運転時に前記下降運転用主接触器をＯＮ状態にし、前記上昇運転用主接触器をＯＦＦ状態にして、前記各接点が正常時又は溶着時でも下階側の前記安全スイッチを有効化し、上階側の前記安全スイッチのみを無効化する、乗客コンベアである。
【手続補正６】
【補正対象書類名】明細書
【補正対象項目名】００３２
【補正方法】変更
【補正の内容】
【００３２】
また、安全回路７２は、リレーコイル（上昇運転用主接触器）７８とリレーコイル（下降運転用主接触器）７９により開閉される複数の可動接点片７９ａ２，７８ｂ２，７８ａ２，７９ｂ２も備えている。具体的には、下降運転時に閉となる可動接点片（ａ接点）７９ａ２と上昇運転時に開状態となる可動接点片（ｂ接点）７８ｂ２とが直列に接続されて回路を構成し、この直列回路に上階側インレット安全スイッチ８０ａ，８０ｂが直列に接続された回路が、並列に接続されている。上昇運転時に閉となる可動接点片（ａ接点）７８ａ２と下降運転時に開状態となる可動接点片（ｂ接点）７９ｂ２とが直列に接続されて回路を構成し、この回路に下階側インレット安全スイッチ８０ｃ，８０ｄが直列に接続された回路が並列に接続されている。これにより、エスカレータ１０の上昇運転時にはａ接点７８ａ２が閉となり、下階側インレット安全スイッチ８０ｃ，８０ｄが短絡され無効化される。一方、エスカレータ１０の下降運転時にはａ接点７９ａ２が閉となるため、上階側インレット安全スイッチ８０ａ，８０ｂが短絡され無効化される。
【手続補正７】
【補正対象書類名】明細書
【補正対象項目名】００３３
【補正方法】変更
【補正の内容】
【００３３】
起動回路７４は、上昇運転、下降運転を切り換える起動スイッチ７６、リレーコイル７８、リレーコイル５９、リレーコイル７８，７９により開閉される複数の可動接点片７８ａ、７８ｂ、７９ａ、７９ｂとを備える。可動接点片７８ａ、７８ａ２、７９ａ、７９ａ２はリレーコイル７８，７９に通電されることで閉止され、通電を止めると開放されるａ接点である。また、可動接点片７８ｂ，７８ｂ２，７９ｂ，７９ｂ２はリレーコイル７８，７９に通電されることで開放され、通電を止めると閉止されるｂ接点である。